(57)【要約】      （修正有）【課題】簡易な操作で同時に多数の太陽電池パネルの角度を調節することのできる太陽光発電設備を提供する。【解決手段】太陽電池パネルと、太陽電池パネルの向きを調節可能な架台と、を有して構成される発電ユニット２、３が並列して配置されて構成されている太陽光発電設備１であって、架台は、支柱と、支柱に取り付けられた回転軸と、これに取り付けられた、太陽電池パネルの載置面とを有し、載置面の角度は鉛直方向を含む角度に調節可能であり、隣接する発電ユニット間の載置面同士がワイヤ４により連結されることで、操作発電ユニット２の載置面の回転動作に従動発電ユニット３の載置面が従動する。【選択図】図１
2016101077.tif 000002
【特許請求の範囲】
【請求項１】
太陽電池パネルと、前記太陽電池パネルが載置され前記太陽電池パネルの向きを調節可能な架台と、を有して構成される発電ユニットが並列して配置されて構成されている太陽光発電設備であって、
前記架台は、地面に立設された支柱と、前記支柱に取り付けられた回転軸と、前記回転軸を介して回転可能に取り付けられた、前記太陽電池パネルが載置される載置面とを有し、
前記載置面の角度は鉛直方向を含む角度に調節可能であり、
隣接する前記発電ユニット間の前記載置面同士が連結部材により連結されることで、一の前記発電ユニットの前記載置面の回転動作に他の前記発電ユニットの前記載置面が従動する、
ことを特徴とする太陽光発電設備。
【請求項２】
少なくとも１つの前記発電ユニットは、前記載置面に操作棒が連結して設けられているとともに、前記載置面を所定の固定角度で固定する固定部材が設けられていることを特徴とする請求項１記載の太陽光発電設備。
【請求項３】
前記固定角度は地面に対して３０度及び９０度であることを特徴とする請求項２記載の太陽光発電設備。
【請求項４】
地面から前記載置面の下端部までの高さが１．５Ｍ以上となることを特徴とする請求項１乃至３の何れか１項記載の太陽光発電設備。
【請求項５】
複数の前記発電ユニットは、各々の前記架台の前記回転軸に垂直な方向に並列して配置されていることを特徴とする請求項１乃至４の何れか１項記載の太陽光発電設備。
【請求項６】
複数の前記発電ユニットは、各々の前記架台の前記回転軸に平行な方向に並列して配置されていることを特徴とする請求項１乃至４の何れか１項記載の太陽光発電設備。
【発明の詳細な説明】
【技術分野】
【０００１】
本発明は、太陽電池パネルとこれを支持する太陽光パネル用架台をそれぞれ複数備えて構成される太陽光発電設備に関するものである。
【背景技術】
【０００２】
太陽電池を用いた太陽光発電は、自然エネルギーを利用し、二酸化炭素や窒素酸化物等の自然環境に悪影響を与える物質を発生することなく発電を行う方法として今後益々注目される技術である。
【０００３】
こうした太陽光発電では、太陽電池が複数配置され形成されている太陽電池パネルを発電効率の良い角度に傾斜した状態で保持するための架台（太陽電池パネル用架台）が用いられている。
【０００４】
こうして架台により傾斜して保持された太陽電池パネルを用いた太陽光発電では、降雪時に太陽電池パネルへの積雪が問題となる。すなわち、太陽電池パネルの表面の積雪による発電量の低下、積雪の重量による太陽電池パネルや架台等の太陽光発電設備の破損等、の問題が生じる。
【０００５】
そこで、太陽電池パネルへの積雪対策として、例えば特許文献１に記載されているように、太陽電池パネルが鉛直な状態になるよう角度調節可能な架台が提案されている。この架台を用いることで、積雪時には太陽電池パネルを垂直な状態とし落雪させることができ、発電量の低下や太陽光発電設備の破損等を効果的に防止することができる。
【先行技術文献】
【特許文献】
【０００６】
【特許文献１】実用新案登録第３１８３３３４号公報
【発明の概要】
【発明が解決しようとする課題】
【０００７】
ところで、現在、太陽電池パネルを多数設けた大規模な太陽光発電設備（メガソーラー）の実用化が進められている。
【０００８】
こうしたメガソーラーについても積雪対策を行う必要があるが、上述した従来の積雪対策の方法をメガソーラーに採用することは、膨大な数の太陽電池パネルについて１つずつ鉛直な状態となるよう角度を変える作業が必要となるため現実的ではない。
【０００９】
また、機構が複雑で高コストなものである場合、太陽光発電設備の普及の妨げになる。特にこのような太陽光発電設備を休耕地等に臨時に設置し活用したい場合には、簡易な設備であって低コストなものが必要となる。
【００１０】
そこで、本発明は、上述した問題点に鑑みて案出されたものであり、簡易な構成を備え、簡易な操作で同時に多数の太陽電池パネルの角度を調節することのできる太陽光発電設備を提供することを目的とする。
【課題を解決するための手段】
【００１１】
本願の第１発明に係る太陽光発電設備は、太陽電池パネルと、前記太陽電池パネルが載置され前記太陽電池パネルの向きを調節可能な架台と、を有して構成される発電ユニットが並列して配置されて構成されている太陽光発電設備であって、前記架台は、地面に立設された支柱と、前記支柱に取り付けられた回転軸と、前記回転軸を介して回転可能に取り付けられた、前記太陽電池パネルが載置される載置面とを有し、前記載置面の角度は鉛直方向を含む角度に調節可能であり、隣接する前記発電ユニット間の前記載置面同士が連結部材により連結されることで、一の前記発電ユニットの前記載置面の回転動作に他の前記発電ユニットの前記載置面が従動する、ことを特徴とする。
【００１２】
本願の第２発明に係る太陽光発電設備は、第１発明において、少なくとも１つの前記発電ユニットは、前記載置面に操作棒が連結して設けられているとともに、前記載置面を所定の固定角度で固定する固定部材が設けられていることを特徴とする。
【００１３】
本願の第３発明に係る太陽光発電設備は、第２発明において、前記固定角度は地面に対して３０度及び９０度であることを特徴とする。
【００１４】
本願の第４発明に係る太陽光発電設備は、第１発明乃至第３発明の何れか１つにおいて、地面から前記載置面の下端部までの高さが１．５Ｍ以上となることを特徴とする。
【００１５】
本願の第５発明に係る太陽光発電設備は、第１乃至第４発明の何れか１つにおいて、複数の前記発電ユニットは、各々の前記架台の前記回転軸に垂直な方向に並列して配置されていることを特徴とする。
【００１６】
本願の第６発明に係る太陽光発電設備は、第１乃至第４発明の何れか１つにおいて、複数の前記発電ユニットは、各々の前記架台の前記回転軸に平行な方向に並列して配置されていることを特徴とする。
【発明の効果】
【００１７】
上述した構成からなる本発明によれば、簡易な構成を備え組み立ての容易化と設備の低コスト化を実現できるとともに、簡易な操作で同時に多数の太陽電池パネルの角度を調節することが可能となる。
【図面の簡単な説明】
【００１８】
【図１】本願発明の実施形態に係る太陽光発電設備を示す斜視図である。
【図２】本願発明の実施形態に係る太陽光発電設備の操作発電ユニットを示す斜視図である。
【図３】図２の操作発電ユニットの載置面の角度を変えた状態を示す斜視図である。
【図４】本願発明の実施形態に係る太陽光発電設備の従動発電ユニットを示す斜視図である。
【図５】図４の従動発電ユニットの載置面の角度を変えた状態を示す斜視図である。
【図６】図１の太陽光発電設備について、発電ユニットの載置面の角度を全て変えた状態を示す斜視図である。
【図７】本発明の第２の実施形態に係る太陽光発電設備の操作発電ユニットを示す斜視図である。
【図８】図７の操作発電ユニットの載置面の角度を変えた状態を示す斜視図である。
【図９】本発明の第３の実施形態に係る太陽光発電設備の操作発電ユニットを示す斜視図である。
【図１０】図９の操作発電ユニットの載置面の角度を変えた状態を示す（Ａ）は斜視図、（Ｂ）は部分拡大図である。
【発明を実施するための形態】
【００１９】
以下、本願発明の実施形態に係る太陽光発電設備について説明する。
【００２０】
図１は、本願発明の実施形態に係る太陽光発電設備１を示す斜視図である。
【００２１】
［太陽光発電設備の全体構成］
本実施形態に係る太陽光発電設備１は、１つの操作発電ユニット２及び複数の従動発電ユニット３の２種類の発電ユニットが、後述する架台２２、３２の回転軸２２２、３２２に垂直な方向に一列に並列して配置され、それぞれが連結部材としてのワイヤ４により連結されて構成されている。
［操作発電ユニットの構成］
【００２２】
図２は、本願発明の実施形態に係る太陽光発電設備の操作発電ユニット２を示す斜視図である。図３は、図２の操作発電ユニット２の載置面２２３の角度を変えた状態を示す斜視図である。
【００２３】
操作発電ユニット２は、太陽電池パネル２１と、太陽電池パネル２１が載置され太陽電池パネル２１の向きを調節可能な架台２２と、を有して構成されている。
【００２４】
太陽電池パネル２１は、多結晶シリコン、単結晶シリコンおよび微結晶シリコン等の結
晶系太陽電池、シリコンアモルファス系太陽電池や、これらを積層したハイブリッド型および多接合型の太陽電池、球状シリコン型の太陽電池、ＩｎＧａＡｓ系太陽電池、ＧａＡｓ系太陽電池、ＣＩＳ系太陽電池等の化合物半導体系の太陽電池を複数枚（本実施形態においては４枚）接続してパネル上に形成されたソーラーモジュールである。
【００２５】
架台２２は、地面に立設された２本の支柱２２１と、支柱２２１の先端部分に取り付けられた回転軸２２２と、この回転軸２２２を介して回転可能に取り付けられた、太陽電池パネル２１が載置される載置面２２３とを有している。
【００２６】
支柱２２１は、角型鋼管よりなる支柱である。本実施形態においては架台２２に２本の支柱２２１が用いられているが、本発明においてはこれに限らず、１本や、３本以上の支柱２２１を用いてもよい。また、本発明においては支柱２２１として角型鋼管以外の丸型鋼管等の鋼管を用いることもできる。
【００２７】
回転軸２２２は、２本の支柱２２１の先端部分において支柱２２１間に架け渡された丸型鋼管よりなる部材である。
【００２８】
載置面２２３は、回転軸２２２を介して支柱２２１に回転可能に取り付けられていて、太陽電池パネル２１をその向きを変更可能に載置するための台として機能する枠体である。載置面２２３は、丸型鋼管を枠状に組み合わせて形成されている。載置面２２３の四隅には、ワイヤ４を固定するためのリング２２７が形成されている。
【００２９】
回転軸２２２の両端部には、載置面２２３の延展方向と平行かつ回転軸２２２と垂直な方向に向けて操作棒２２４が連結して設けられている。操作棒２２４は丸型鋼管等の管状部材により形成されていて、操作発電ユニット２の載置面２２３の向きを変える際に作業者により操作される。
【００３０】
操作棒２２４を操作する際には、支点となる回転軸２２２から離れた位置において回転力が加わることとなるため、てこの原理により作業者は容易に載置面２２３の向きを変えることができる。
【００３１】
また、この操作棒２２４を所定の位置で固定することで載置面２２３を所定の角度で固定するため、一対の第１固定部材２２５、２２５及び一対の第２固定部材２２６、２２６が、それぞれ支柱２２１の近傍において地面から立設している。
【００３２】
第１固定部材２２５と第２固定部材２２６は、それぞれ丸型鋼管からなる本体部２２５ａ、２２６ａと、それぞれの先端部に設けられた操作棒２２４を把持し固定するためのクランプ等の固定具２２５ｂ、２２６ｂを備えて構成されている。
【００３３】
第１固定部材２２５、２２５と第２固定部材２２６、２２６は、それぞれ回転軸２２２と平行な方向に並列配置され、かつ、第１固定部材２２５、２２５間及び第２固定部材２２６、２２６間の間隔は、操作棒２２４、２２４間の間隔と略同一となっている。
【００３４】
操作棒２２４が第１固定部材２２５に固定された状態において、載置面２２３とこれに載置された太陽電池パネル２１は地面に対して３０度の角度をなすようになっている。また、操作棒２２４が第２固定部材２２６に固定された状態において、載置面２２３とこれに載置された太陽電池パネル２１は地面に対して９０度の角度をなすようになっている。
【００３５】
［従動発電ユニットの構成］
図４は、本願発明の実施形態に係る太陽光発電設備１の従動発電ユニット３を示す斜視図である。図５は、図４の従動発電ユニット３の載置面３２３の角度を変えた状態を示す斜視図である。
【００３６】
従動発電ユニット３は、操作棒２２４と第１固定部材２２５及び第２固定部２２６とが設けられていない他は、上述した操作発電ユニット２と同様の構成を備えている。
【００３７】
すなわち、従動発電ユニット３は、太陽電池パネル３１と、太陽電池パネル３１が載置され太陽電池パネル３１の向きを調節可能な架台３２と、を有して構成されている。
【００３８】
太陽電池パネル３１は、上述した太陽電池パネル２１と同じソーラーモジュールである。
【００３９】
架台３２は、地面に立設された２本の支柱３２１と、支柱３２１の先端部分に取り付けられた回転軸３２２と、この回転軸３２２を介して回転可能に取り付けられた、太陽電池パネル３１が載置される載置面３２３とを有している。
【００４０】
支柱３２１、回転軸３２２及び載置面３２３は、それぞれ上述した操作発電ユニット２の支柱２２１、回転軸２２２及び載置面２２３と同じものである。載置面３２３の四隅にも、ワイヤ４を固定するためのリング３２７が形成されている。
【００４１】
［ワイヤによる連結］
本実施形態に係る太陽光発電設備１では、操作発電ユニット２に複数の従動発電ユニット３がワイヤ４により連結されていることで、操作発電ユニット２の太陽電池パネル２１の角度調節に従動して従動発電ユニット３の太陽電池パネル３１の角度も調節されるように構成されている。
【００４２】
ワイヤ４は、鋼製のワイヤであり、隣接する操作発電ユニット２の載置面２２３や従動発電ユニット３の載置面３２３間の間隔と等間隔に、カラビナ等の固定器具（不図示）が設けられている。
【００４３】
そして、４本のワイヤ４の固定器具が、それぞれ載置面２２３、３２３の四隅に設けられたリング２２７、３２７に連結される。
【００４４】
［操作発電ユニットへの従動発電ユニットの従動］
上述したように、隣接する操作発電ユニット２の載置面２２３と従動発電ユニット３の３２３同士がワイヤ４により連結されているため、載置面２２３の動作に載置面３２３が従動し、載置面２２３の角度（すなわち太陽電池パネル２１の角度）の調節を行うだけで、他の複数の載置面３２３の角度（すなわち太陽電池パネル３１の角度）も同時に調節することができる。
【００４５】
また、操作発電ユニット２の載置面２２３に操作棒２２４が設けられていることで、載置面２２３の動作に多数の載置面３２３を従動させる際にてこの原理により少ない力で容易に動作を行うことができる。
【００４６】
［太陽電池パネルの角度について］
図６は、図１の太陽光発電設備について、発電ユニットの載置面の角度を全て変えた状態を示す斜視図である。
【００４７】
各載置面２２３、３２３の角度は、第１固定部材２２５及び第２固定部材２２６により、地面に対して３０度（図１参照）と９０度（図６参照）の２つの角度に調節することが可能となっている。なお、本実施形態においては３０度と９０度の２つの角度に調節可能としているが、本発明においては９０度の角度に調節可能な態様であれば、他の角度は太陽光発電設備１の設置個所毎の状況により適宜調節してもよい。
【００４８】
太陽電池パネル２１、３１が地面に対して３０度に向いた状態は、晴天時に最も発電効率の良い状態である。そのため、晴天時には使用者は操作棒２２４を操作し各載置面２２３、３２３の向きを変えるとともに、操作棒２２４を第１固定部材２２５に固定することで、太陽電池パネル２１、３１を同角度に固定した状態とすることができる。
【００４９】
一方、太陽電池パネル２１、３１が地面に対して９０度に向いた状態は、非積雪時には発電効率は３０度の状態に比べて劣るものの、積雪時には太陽から直接受ける光に加え、雪面から反射する光も受けることができるため、最も発電効率の高い状態となる。
【００５０】
また、降雪時には太陽電池パネル２１、３１が９０度の状態では、雪は太陽電池パネル２１、３１に積もらず地面に落下する。そのため、降雪時に太陽電池パネル２１、３１を地面に対して９０度に向いた状態とすることで、積雪により破損することを防止することができる。
【００５１】
なお、落下した積雪が地面に積り、太陽電池パネル２１、３１や載置面２２３、３２３に到達することでこれらの破損を招く可能性がある。そのため、例えば地面から載置面２２３、３２３の下端部までの高さが１．５Ｍ以上とすることが好ましい。こうすることで、地面に積もった積雪が太陽電池パネル２１、３１や載置面２２３、３２３に到達することを防止し、これらの破損を効果的に防止することができる。
【００５２】
［第２実施形態］
次に、第２実施形態に係る太陽光発電設備について説明する。図７は、本発明の第２の実施形態に係る太陽光発電設備の操作発電ユニットを示す斜視図である。図８は、図７の操作発電ユニットの載置面の角度を変えた状態を示す斜視図である。
【００５３】
第２実施形態に係る太陽光発電設備では、操作発電ユニット２０の載置面２２３を所定の角度で固定するために操作発電ユニット２０に設けられた構成のみが第１実施形態に係る太陽光発電設備と異なっているため、その差異についてのみ詳細に説明する。なお、図７及び図８において、第１実施形態に係る操作発電ユニット２の構成と同様の構成については同一の符号を付してある。
【００５４】
第２実施形態に係る操作発電ユニット２０では、載置面２２３を所定の角度で固定するため、載置面２２３の下方（図７の紙面左下方向、図８の紙面下方向）に回動可能に取り付けられた固定バー２８０と、固定バー２８０を所定の位置で固定するための固定クリップ２８３が設けられている。
【００５５】
固定バー２８０は鋼管よりなる部材であり、載置面２２３に回動可能に設けられた２つの同一形状の縦棒２８１と、２つの縦棒２８１を連結し２本の支柱２２１と平行な方向に延展する横棒２８２により形成されている。
【００５６】
固定クリップ２８３は、弾性変形可能な金属製の部材であり、固定バー２８０の横棒２８２を所定の力で着脱可能に把持する部材である。
【００５７】
固定クリップ２８３による固定バー２８０の把持は、作業者は固定クリップ２８３を弾性変形させる力で固定バー２８０を固定クリップ２８３に押し込むことで行われる。
【００５８】
また、固定クリップ２８３からの固定バー２８０の脱離は、作業者が固定クリップ２８３を弾性変形させる力で、固定クリップ２８３から固定バー２８０を引き抜くことで行われる。
【００５９】
本実施形態においては、図７に示すように固定バー２８０が固定クリップ２８３に把持されている状態で、載置面２２３は地面に対して３０度に傾斜した状態となっている。
【００６０】
一方、固定バー２８０が固定クリップ２８３から脱離した状態では、固定バー２８０の重量により載置面２２３は鉛直方向に向いた状態となる。
【００６１】
そして、上述した実施例と同様に、操作発電ユニット２０の載置面２２３の角度変更動作に従動して、従動発電ユニット３の載置面３２３の角度も変更される。
【００６２】
なお、本実施形態に係る載置面２２３の固定機構（固定バー２８０及び固定クリップ２８３）は、本実施形態においては操作発電ユニット２０にのみ設けられているが、本発明においてはこれに限らず、従動発電ユニットにも設ける態様としてもよい。
【００６３】
［第３実施形態］
次に、第３実施形態に係る太陽光発電設備について説明する。図９は、本発明の第３の実施形態に係る太陽光発電設備の操作発電ユニットを示す斜視図である。図１０は、図９の操作発電ユニットの載置面の角度を変えた状態を示す（Ａ）は斜視図、（Ｂ）は部分拡大図である。
【００６４】
第３実施形態に係る太陽光発電設備では、操作発電ユニット２００の載置面２２３を所定の角度で固定するために操作発電ユニット２００に設けられた構成のみが第１及び第２実施形態に係る太陽光発電設備と異なっているため、その差異についてのみ詳細に説明する。なお、図９及び図１０において、第１実施形態及び第２実施形態に係る操作発電ユニットの構成と同様の構成については同一の符号を付してある。
【００６５】
第３実施形態に係る操作発電ユニット２００では、載置面２２３を所定の角度で固定するため、載置面２２３に回動可能に支持棒２９０を設けるとともに、支持棒２９０を任意の位置で固定する固定錠２９２が、支持棒２９０の回動範囲に隣接する１本の支柱２２１に対して上下２か所に設けられている。
【００６６】
支持棒２９０は、鋼管よりなる部材である。支持棒２９０の載置面２２３側とは反対側の先端部の近傍には、貫通孔２９１が形成されている。
【００６７】
固定錠２９２は、中空のシリンダー２９３と、シリンダー２９３内を進退移動するピン２９６とを備えて構成されている金属製の部材である。
【００６８】
シリンダー２９３は、鋼管よりなり、側面に長手方向に沿いスリット２９５が形成されている。更に、シリンダー２９３には、スリット２９５の長手方向とは垂直な方向に連続して、開位置用スリット２９５ａと閉位置用スリット２９５ｂとが設けられている。シリンダー２９３は任意の固定手段により柱２２１に固定されている。
【００６９】
ピン２９６は、シリンダー２９３内を進退移動可能な径を有する鋼棒よりなる部材であり、側面につまみ２９４が形成されている。このつまみ２９４はシリンダー２９３のスリット２９５、開位置用スリット２９５ａ及び閉位置用スリット２９５ｂの内部をスライドして移動することができ、操作者が外部からつまみ２９４を把持できるよう、これらのスリットからシリンダー２９３外部に露出した状態となっている。また、ピン２９６は、支持棒２９０に形成された貫通孔２９１に挿通可能な径を有している。
【００７０】
固定錠２９２による支持棒２９０の固定は、作業者がピン２９６のつまみ２９４をスリット２９５の閉位置用スリット２９５ｂ内に移動させ、ピン２９６を支持棒２９０の貫通孔２９１に挿通させることで行われる。
【００７１】
また、固定錠２９２の開錠は、ピン２９６のつまみ２９４を開位置用スリット２９５ａ内に移動させ、ピン２９６を支持棒２９０の貫通孔２９１から退避させることで行われる。
【００７２】
本実施形態においては、支持棒２９０が支柱２２１の下方に設けられている固定錠２９２に固定されている状態では、載置面２２３は鉛直方向に向いている。
【００７３】
一方、支持棒２９０が支柱２２１の上方に設けられている固定錠２９２に固定されている状態では、載置面２２３は地面に対して３０度に傾斜した状態となっている。
【００７４】
そして、上述した実施例と同様に、操作発電ユニット２００の載置面２２３の角度変更動作に従動して、従動発電ユニット３の載置面３２３の角度も変更される。
【００７５】
なお、本実施形態に係る載置面２２３の固定機構（支持棒２９０及び固定錠２９２）は、本実施形態においては操作発電ユニット２００にのみ設けられているが、本発明においてはこれに限らず、従動発電ユニットにも設ける態様としてもよい。
【００７６】
［本発明の効果］
このように、上述した各実施形態に係る太陽光発電設備によると、簡易な構成を備え、組み立ての容易化と設備の低コスト化を実現できるとともに、簡易な操作で同時に多数の太陽電池パネルの角度を調節することが可能となる。
【００７７】
［変形例］
上述した各実施形態においては、１つの操作発電ユニット２（２０、２００）及び複数の従動発電ユニット３の２種類の発電ユニットが、後述する架台２２、３２の回転軸２２２、３２２に垂直な方向に一列に並列して配置され、それぞれが連結部材としてのワイヤ４により連結されて構成されている。
【００７８】
しかし、本発明においてはこれに限らず、１つの操作発電ユニット２（２０、２００）及び複数の従動発電ユニット３の２種類の発電ユニットが、後述する架台２２、３２の回転軸２２２、３２２に平行な方向に一列に並列して配置され、それぞれがワイヤ４により連結されて構成されていてもよい。
【００７９】
この場合も隣接する操作発電ユニット２又は従動発電ユニット３の載置面２２３、３２３の対向する位置にあるリング２２７、３２７にワイヤ４が連結されることで、操作発電ユニット２の動作に従動発電ユニット３の動作を従動させることができる。
【００８０】
また、上述した実施形態においては１つの操作発電ユニット２（２０、２００）及び複数の従動発電ユニット３の全てを４本のワイヤ４で連結していた。しかし、本発明においてはこれに限らず、隣接する発電ユニットの載置面の四隅同士を４本のワイヤで連結することを、各発電ユニット間で行ってもよい。
【００８１】
この場合、例えば図１に示すように１つの操作発電ユニット２（２０、２００）と８つの従動発電ユニット３とを、４×８＝３２本のワイヤを用いて連結することになる。
【００８２】
また、上述した各実施形態においては各発電ユニットの載置面の四隅をワイヤで連結する態様としているが、本発明においてはこれに限らず、四隅またはその近傍のうち少なくとも１か所がワイヤで連結されていればよい。
【００８３】
また、上述した第２実施形態においては固定クリップ２８３を１つの支柱２２１につき１つのみ設けていたが、本発明においてはこれに限らず、２つ以上設ける態様としてもよい。これにより載置面２２３の角度を３つ以上の角度に調節することが可能となる。特に、載置面２２３を垂直にした状態において固定バー２８０を固定できる位置に固定クリップ２８３を設けることで、載置面２２３が垂直に向いた状態を安定して保持することが可能となる。
【００８４】
また、固定バー２８０の固定を固定クリップ２８３を用いて行ったが、本発明においてはこれに限らず、固定クリップ２８３のかわりに磁石を付し、磁力を用いて着脱可能に固定する態様としてもよい。
【００８５】
また、上述した第３実施形態においては固定錠２９２は１つの支柱２２１に対して２か所に設けられていたが、本発明においてはこれに限らず、３か所以上設ける態様としてもよい。これにより載置面２２３の角度を３つ以上の角度に調節することが可能となる。
【００８６】
なお、上述した各実施形態においては、載置面の角度が３０度と９０度の２つの角度に調整可能としていたが、本発明においてはこれに限られない。具体的には、３０度に限定することなく、最も発電効率の高い角度とする。また、９０度についてもこの角度に限定することなく、降雪時にパネルへの積雪を防止することができ、且つ反射効果の最も大きな角度とする。
【００８７】
これらの変形例に係る太陽光発電設備によっても、簡易な構成を備え、組み立ての容易化と設備の低コスト化を実現できるとともに、簡易な操作で同時に多数の太陽電池パネルの角度を調節することが可能となる。
【符号の説明】
【００８８】
１  太陽光発電設備
２、２０、２００  操作発電ユニット
３  従動発電ユニット
４  ワイヤ
２１、３１  太陽電池パネル
２２、３２  架台
２２２、３２２  回転軸
２２３、３２３  載置面
２２４  操作棒
２２５  第１固定部材
２２６  第２固定部材
２２７、３２７  リング
２８０  固定バー
２８３  固定クリップ
２９０  支持棒
２９２  固定錠
【図１】
2016101077.tif 000003
【図２】
2016101077.tif 000004
【図３】
2016101077.tif 000005
【図４】
2016101077.tif 000006
【図５】
2016101077.tif 000007
【図６】
2016101077.tif 000008
【図７】
2016101077.tif 000009
【図８】
2016101077.tif 000010
【図９】
2016101077.tif 000011
【図１０】
2016101077.tif 000012
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
太陽電池パネルと、前記太陽電池パネルが載置され前記太陽電池パネルの向きを調節可能な架台と、を有して構成される発電ユニットが並列して配置されて構成されている太陽光発電設備であって、
前記架台は、地面に立設された支柱と、前記支柱に取り付けられた回転軸と、前記回転軸を介して回転可能に取り付けられた、前記太陽電池パネルが載置される載置面とを有し、
前記載置面の角度は鉛直方向を含む角度に調節可能であり、
隣接する前記発電ユニット間の前記載置面同士が連結部材により連結されることで、一の前記発電ユニットの前記載置面の回転動作に他の前記発電ユニットの前記載置面が従動し、
少なくとも１つの前記発電ユニットは、前記載置面に操作棒が連結して設けられているとともに、前記載置面を所定の固定角度で固定する固定部材が設けられ、
前記操作棒の端部側は、前記回転軸に設けられることを特徴とする太陽光発電設備。
【請求項２】
前記固定部材は、前記操作棒を把持し固定する固定具を有することを特徴とする請求項１記載の太陽光発電設備。
【請求項３】
前記固定部材は、鋼管からなる本体部を有し、
前記本体部は、先端部に前記固定具を有することを特徴とする請求項２記載の太陽光発電設備。
【請求項４】
前記固定部材は、前記載置面の下方に回動可能に取り付けられた固定バーと、前記固定バーを所定の位置で固定する固定クリップとを有し、
前記固定バーは、前記固定クリップに着脱可能に挟持されることを特徴とする請求項１記載の太陽光発電設備。
【請求項５】
前記固定部材は、前記載置面に回動可能に設けられる支持棒と、前記支持棒を任意の位置で固定する固定錠とを有し、
前記固定鍵は、前記支持棒の回動範囲に隣接する前記支柱に設けられることを特徴とする請求項１記載の太陽光発電設備。
【手続補正２】
【補正対象書類名】明細書
【補正対象項目名】００１１
【補正方法】変更
【補正の内容】
【００１１】
本願の第１発明に係る太陽光発電設備は、太陽電池パネルと、前記太陽電池パネルが載置され前記太陽電池パネルの向きを調節可能な架台と、を有して構成される発電ユニットが並列して配置されて構成されている太陽光発電設備であって、前記架台は、地面に立設された支柱と、前記支柱に取り付けられた回転軸と、前記回転軸を介して回転可能に取り付けられた、前記太陽電池パネルが載置される載置面とを有し、前記載置面の角度は鉛直方向を含む角度に調節可能であり、隣接する前記発電ユニット間の前記載置面同士が連結部材により連結されることで、一の前記発電ユニットの前記載置面の回転動作に他の前記発電ユニットの前記載置面が従動し、少なくとも１つの前記発電ユニットは、前記載置面に操作棒が連結して設けられているとともに、前記載置面を所定の固定角度で固定する固定部材が設けられ、前記操作棒の端部側は、前記回転軸に設けられることを特徴とする。
【手続補正３】
【補正対象書類名】明細書
【補正対象項目名】００１２
【補正方法】変更
【補正の内容】
【００１２】
本願の第２発明に係る太陽光発電設備は、第１発明において、前記固定部材は、前記操作棒を把持し固定する固定具を有することを特徴とする。
【手続補正４】
【補正対象書類名】明細書
【補正対象項目名】００１３
【補正方法】変更
【補正の内容】
【００１３】
本願の第３発明に係る太陽光発電設備は、第２発明において、前記固定部材は、鋼管からなる本体部を有し、前記本体部は、先端部に前記固定具を有することを特徴とする。
【手続補正５】
【補正対象書類名】明細書
【補正対象項目名】００１４
【補正方法】変更
【補正の内容】
【００１４】
本願の第４発明に係る太陽光発電設備は、第１発明において、前記固定部材は、前記載置面の下方に回動可能に取り付けられた固定バーと、前記固定バーを所定の位置で固定する固定クリップとを有し、前記固定バーは、前記固定クリップに着脱可能に挟持されることを特徴とする。
【手続補正６】
【補正対象書類名】明細書
【補正対象項目名】００１５
【補正方法】変更
【補正の内容】
【００１５】
本願の第５発明に係る太陽光発電設備は、第１発明において、前記固定部材は、前記載置面に回動可能に設けられる支持棒と、前記支持棒を任意の位置で固定する固定錠とを有し、前記固定鍵は、前記支持棒の回動範囲に隣接する前記支柱に設けられることを特徴とする。
【手続補正７】
【補正対象書類名】明細書
【補正対象項目名】００１６
【補正方法】削除
【補正の内容】